(57)【要約】【課題】暗渠排水管内の堆積土砂を洗浄・除去する工事において該管を覆う土の開削を必要としない装置を提供する。【解決手段】地下に埋設した暗渠排水管内に挿通して管の敷設位置を計測する位置検出手段により、該管内に堆積した土砂の位置を検出し、該管内土砂堆積箇所の直上の地表から掘削棒を該管に当接して該掘削棒に備えた切開手段により該管を開口して挿入し、その後、管内に位置する該掘削棒の先部に設けられた噴射口から高圧洗浄水を噴射して、管内堆積土砂を除去する暗渠排水管洗浄装置。【選択図】図６
2015167945.tif 000002
【特許請求の範囲】
【請求項１】
地下に埋設した暗渠排水管内に挿通して管の敷設位置を計測する位置検出手段により、該管内に堆積した土砂の位置を検出し、該管内土砂堆積箇所の直上の地表から掘削棒を該管に当接して該掘削棒に備えた切開手段により該管を開口して挿入し、その後、管内に位置する該掘削棒の先部に設けられた噴射口から高圧洗浄水を噴射して、管内堆積土砂を除去することを特徴とする暗渠排水管洗浄装置。
【請求項２】
前記位置検出手段が、高圧水ホースの先端に機能部本体が構成され、該機能部本体は高圧水噴射ノズルとカメラ及び電磁波発信装置を備え、該高圧水の噴射によって管内を推進し、地表の電磁波受信装置により該機能部本体の位置を特定する機能を有することを特徴とする請求項１に記載の暗渠排水管洗浄装置。
【請求項３】
前記掘削棒が、先端側に切開手段を有し他端側に高圧水注入口を有する軸心部が中空の管で成り、該切開手段近傍の適宜箇所に一又は複数の高圧水噴射孔を備えたことを特徴とする請求項１又は請求項２に記載の暗渠排水管洗浄装置。
【請求項４】
前記切開手段が、管状剛体下端部、中間部材、円錐状剛体で構成され、前記管状剛体先端側に軸心下方に頂点を向けた基部が管状剛体直径より適宜小さい直径の円柱部とで成る円錐状剛体を設け、該円錐状剛体の円柱部の上面端と前記管状剛体下端部との間に円柱部直径よりさらに小径の頂点下向きの円錐台又は円柱形状の中間部材を設け、該中間部材に下方に傾斜して一又は複数の高圧噴射孔を備えたことを特徴とする請求項１〜請求項３の何れかに記載の暗渠排水管洗浄装置。
【発明の詳細な説明】
【技術分野】
【０００１】  地下に埋設した暗渠排水管内に堆積した土砂を除去する装置に関する。
【背景技術】
【０００２】  農地には余剰な土壌水分を排出するため暗渠排水管が敷設される。それらの管は、管壁の目詰まりや管内の土詰まりなどにより排水機能が低下すると、新たな管を再敷設する必要があり経済的負担となる。このため検査・洗浄による暗渠排水管の保全の工事が行われる。
農業用暗渠排水管には、透水性のある素焼き土管や管壁に孔が開いた樹脂管がある。図１に示すように、農地又は圃場Ａでは、作土層Ｂの下部に水の浸透性がよい砕石や貝殻、籾殻などから成る疎水材層Ｃを敷設し、暗渠排水管３０はその最下部、地下約８０ｃｍのところに埋設される。この管は図２に示すように集水管とも呼ばれる幹管３０ａから分岐させる形で吸水管とも呼ばれる分岐管３０ｂが敷設されており、排水口から分岐管端末までの長さは３００ｍ以上になることもある。排水管の直径は、５０〜１００ｍｍ、作土層は圃場によって異なるが１５〜２０ｃｍ、疎水材層は４５〜６０ｃｍである。（非特許文献１参照）。
本技術分野に係る従来技術として、上記の暗渠排水管の管内の状況を検査し管内洗浄を行う筆者らの試みがある。（非特許文献１参照）。このシステムの構成は、図３、図４に示すように、管内を挿通する高圧水ホースの先端に機能部本体を設けて構成され、この機能部本体は、噴射ノズルの先端に内視カメラを備え、カメラが捉えた管内映像を地上で観測しながら制御する。高圧水噴射ノズルから噴出する洗浄水の推進力で管内を進行する。機能部本体に接続される制御用信号ケーブルの一つの線に高周波信号を流し、それを専用の器具により補足し機能部本体位置の計測を行うとしている。
また、関連して、筆者らの内視機能等を備えた方向制御可能な小径管内の洗浄装置（特許文献１参照）や管内に挿入した自走推進装置の長距離延伸化を目的とした推進工法（特許文献２）がある。
【先行技術文献】
【特許文献】
【０００３】
【特許文献１】特開２００５−５８９０４号公報
【特許文献２】特開２００７−２９８０７号公報
【０００４】
【非特許文献１】地方独立行政法人北海道立総合研究機構工業試験場  成果発表会要旨集２００６
【発明の概要】
【発明が解決しようとする課題】
【０００５】  非特許文献１及び、特許文献１、２のシステムによれば、高圧水ホース先端の機能部本体が管内に堆積した土砂の位置に到達しその位置が計測されたとして、噴射ノズルの噴射水で洗浄が不可能な場合は、図５に示すように、作土を掘り起こして、管を洗浄して管を補修し埋め戻す工事が行われる。この際、管を覆っている土の開削に手間がかかり、圃場を痛め土壌構造を破壊し、作物がある場合は重機の乗り入れができないなどの課題がある。
本発明は上記のような従来技術の問題点に鑑みて、これらの課題を解決する装置を提供することを目的とするものである。
【課題を解決するための手段】
【０００６】  上記課題を解決するため、本発明は、地下に埋設した暗渠排水管内に挿通して管の敷設位置を計測する位置検出手段により、該管内に堆積した土砂の位置を検出し、該管内土砂堆積箇所の直上の地表から掘削棒を該管に当接して該掘削棒に備えた切開手段により該管を開口して挿入し、その後、管内に位置する該掘削棒の先部に設けられた噴射口から高圧洗浄水を噴射して、管内堆積土砂を除去することを特徴とする暗渠排水管洗浄装置とする。
また、前記位置検出手段が、高圧水ホースの先端に機能部本体が構成され、該機能部本体は高圧水噴射ノズルとカメラ及び電磁波発信装置を備え、該高圧水の噴射によって管内を推進し、地表の電磁波受信装置により該機能部本体の位置を特定する機能を有することを特徴とする暗渠排水管洗浄装置とするのが好ましい。【０００７】  また、前記掘削棒が、先端側に切開手段を有し他端側に高圧水注入口を有する軸心部が中空の管で成り、該切開手段近傍の適宜箇所に一又は複数の高圧水噴射孔を備えたことを特徴とする暗渠排水管洗浄装置とするのが好ましい。
また、前記切開手段が、管状剛体下端部、中間部材、円錐状剛体で構成され、前記管状剛体先端側に軸心下方に頂点を向けた基部が管状剛体直径より適宜小さい直径の円柱部とで成る円錐状剛体を設け、該円錐状剛体の円柱部の上面端と前記管状剛体下端部との間に円柱部直径よりさらに小径の頂点下向きの円錐台又は円柱形状の中間部材を設け、該中間部材に下方に傾斜して一又は複数の高圧噴射孔を備えたことを特徴とする暗渠排水管洗浄装置とするのが好ましい。
【発明の効果】
【０００８】  本発明は、開削棒を暗渠排水管に突き刺すなどの工事のみで地上での作業範囲は一部で済むため、圃場の広範囲な開削が不要であって、この範囲の土壌構造の破壊は少なく、作物があっても被害は最小限に留めることができる。
【図面の簡単な説明】
【０００９】
【図１】暗渠排水管の地下埋設断面の説明図である。
【図２】暗渠排水管の敷設状況の説明図である。
【図３】暗渠排水管の検査・洗浄に係る工事全体の説明図である。
【図４】機能部本体の説明図である。
【図５】従来の施工の説明図である。
【図６】本発明による施工の説明図である。
【図７】本発明の管内洗浄補助装置の説明図である。
【図８】本発明の開削棒のその他の例の説明図である。
【発明を実施するための形態】
【００１０】  以下、図を用いて本発明を実施する形態を詳細に説明する。図３に圃場Ａの地下に埋設された暗渠排水管３０の状況が、部分の断面図で示す。ここでは幹管３０ａ、これに分岐する分岐管３０ｂが示され、幹管の排水側先端３０ａｅが圃場法面Ｄから露出し、法面の下側に排水溝Ｅがある場合の状況を示す。
【００１１】  高圧の洗浄水を送る高圧水ホース１１の先端に設けられた機能部本体１０が幹管の排水側先端３０ａｅから挿入されて、機能部本体１０の一部を構成する噴射ノズル１２から洗浄水を噴射して噴射水Ｇの推進力で管内を推進し、噴射水によって管内に堆積した土砂等は排水側先端３０ａｅから排水溝Ｅに流れ出る。機能部本体１０は、後述のように、カメラを先端に備え、カメラの映像を観察して進行方向を制御できるようにしているので、幹管３０ａから分岐管３０ｂに進行していくことができる。高圧水ホース１１の元部はこの例では、トラック２１で移動できるホース巻き取り装置２２、高圧ポンプ２３に繋がれ、洗浄水は水タンク２４から供給される。図には操作する人員の配置の例が示され、機能部本体に備えられたカメラ映像をモニター２５で監視しながら操作する。
【００１２】  図４に高圧水ホース先端側に設けられる機能部本体１０部分の構成を示す。照明１４を備えたカメラ１３を先端に配し、首振りと称する進行方向を制御する機構部１５、洗浄水を後方に噴射して推進する噴射ノズル１６を有する。制御機構部１５には制御用信号ケーブル１７が繋がれ配線の一つに電磁波信号を流して電磁波発信装置１８を構成する。
【００１３】  図５に従来の分岐管の管内堆積土砂の除去工事の状況を示す。機能部本体１０に繋がれた信号ケーブル１７に電磁波信号を流して電磁波を発信し、地表での電磁波受信装置１９により機能部本体の位置を観測し、管内の土砂堆積の位置を特定する。この管位置を覆っている土を開削して管を切開し堆積土砂Ｆを手作業で除去する。その後管を補修して土を埋め戻す。
この方法は、覆っている土の開削に手間がかかり、効率の低下、施工費の増加となる。また、圃場を傷め土壌構造の破壊となる。また、作物がある場合には、開削範囲の作物は売り物にならなくなるため、重機の乗り入れ自体ができないなどの課題がある。
【００１４】  これに対し、図６に本発明の管内堆積土砂の除去工事の状況を示す。図６及び図７に示す本発明による管内洗浄補助装置１は、開削棒２と携帯ができる大きさの携行ポンプ３及び水タンク５で構成される。開削棒２は先端側に切開手段２ｄを有し他端側に高圧水注入口２ｂを備え、軸心部が中空の軸心部水路２ｃを有する管状剛体２ｐとで成り、この切開手段近傍の適宜箇所に一又は複数の高圧水噴射孔２ａを備える。図では２個の高圧水噴射孔２ａを示した。高圧噴射２ａの向きは図に示すように下向きに傾斜して設けるのがよい。本例での切開手段は先端が尖った円錐形構造で示しているが、三角錐や四角錐などの形状であってもよい。また、開削棒２には方向を定める翌を有する構造や、回転による掘削推進機能を有する螺旋構造を有してもよい。この場合は、開削棒の上部に人の操作による回転用のハンドルを設けるのが好ましい。また、開削棒２の上部には高圧水噴射孔２ａの開口方向を示す方向指示機能を適宜備えるのが好ましい。
【００１５】  図６を用いて、本発明の管内堆積土砂の除去工事の状況を説明する。まず、機能部本体１０に繋がれた制御用信号ケーブル１７に電磁波信号を流して電磁波を発信し、地表での電磁波受信装置１９により機能部本体の位置を観測し、管内の土砂堆積の位置を特定する。つぎに開削棒２の上端を押圧したり殴打して、開削棒２を測定した位置の特定箇所に突き刺し、作土と疎水材を通して排水管に当接し管を切開して、高圧水噴射孔２ａが管の敷設方向にかつ管内に位置するように貫通させる。その後、携行ポンプ３のホース４を高圧水注入口２ｂに繋いで高圧水噴射孔２ａから高圧洗浄水を噴射して噴射水Ｈで、機能部本体１０による噴射との相互作用により管内堆積土砂Ｆを軟化させ、洗浄、除去する。洗浄水は水タンク５により供給する。管内の堆積土砂の除去後の状況は、先の機能部本体３０のカメラ１３による映像をモニター２５で観察する。
【００１６】  つぎに、図７で示した開削棒２における切開手段の他の例を示す。図８で示すように、本例の切開手段２ｄは、管状剛体２ｐの下部に備えた管状剛体下端部２ｐｅ、中間部材２ｈ、先端側に設ける円錐状剛体２ｄｔで構成される。管状剛体の下端部２ｐｅの角は曲面で形成するのがよい。管状剛体の先端側に、軸心下方に頂点を向けた、基部が管状剛体２ｐの直径より適宜小さい直径の円柱部とで成る円錐状剛体２ｄｔを設ける。円錐状剛体２ｄｔの円柱部の上面端２ｄｅと前記管状剛体下端部２ｐｅとの間に円柱部直径よりさらに小径の円柱又は頂点下向きの円柱台形状の中間部材２ｈを設ける。中間部材には図に示すように高圧噴射孔２ａを設け軸心部水路２ｃからの高圧水を噴射する。高圧噴射孔２ａは下方に傾斜して設けるのがよい。図では１個の高圧噴射孔２ａの場合を示した。
【００１７】  この例の使用方法についてつぎに説明する。図７の例と同様に、本例の、開削棒２の上端を押圧したり殴打して、開削棒２を測定した位置の特定箇所に突き刺し、作土と疎水材を通して排水管を切開して、高圧噴射孔の方向を敷設方向に合わせて管内に挿入される。この際、まず、円錐状剛体２ｄｔが排水管を切開して管内に進入し、その後、より小径の中間部２ｈを通過した後、管開口部外面がより大径の管状剛体下端部２ｐｅに当接するので、この時が適切な開削棒位置として認識されることが期待される。つぎに、高圧水噴射孔２ａから高圧洗浄水を噴射して洗浄、除去する。この後、開削棒を上方に引き抜く作業に入るが、図８において、開削棒を上方に移動したとき、管の開口端部３０ｈｅが円柱部の上面端２ｄｅに当接し、さらに上方に移動すると、開口端部３０ｈｅが管の外側にめくり上がって、このことが開口部を塞ぐ要素となり、これによって開口した排水管の修復として期待される。
本発明によると、管内土砂堆積箇所周辺の広範な土の開削が不要なため、重機を入れず、開削に手間をかけず、土壌構造の破壊、作物の損傷を最小限にできる。
【符号の説明】
【００１８】１  管内洗浄補助装置
２  開削棒
２ａ  噴射孔
２ｂ  高圧水注入口
２ｃ  軸心部水路
２ｄ  切開手段
２ｈ  中間部
２ｄｅ  円柱部上面端
２ｐｅ  管状剛体下端部
３  携行ポンプ
４  高圧水ホース
５  水タンク
１０  機能部本体
１１  高圧水ホース
１２  噴射ノズル
１３  カメラ
１４  照明
１５  制御機構部
１６  噴射ノズル
１７  制御用信号ケーブル
１８  電磁波発信装置
１９  電磁波受信装置
２１  トラック
２２  ホース巻き取り装置
２３  高圧ポンプ
２４  水タンク
２５  モニター
３０  暗渠排水管
３０ａ  幹管
３０ｂ  分岐管
３０ａｅ  排水側先端
Ａ  圃場
Ｂ  作土層
Ｃ  疎水材層
Ｄ  法面
Ｅ  排水溝
Ｆ  管内堆積土砂
Ｇ  噴射水
Ｈ  噴射水
【図１】
2015167945.tif 000003
【図２】
2015167945.tif 000004
【図３】
2015167945.tif 000005
【図４】
2015167945.tif 000006
【図５】
2015167945.tif 000007
【図６】
2015167945.tif 000008
【図７】
2015167945.tif 000009
【図８】
2015167945.tif 000010